(57)【要約】【課題】装用者が姿勢を変えることなく、複数の方向の拡大視が可能な双眼拡大鏡を提供すること。【解決手段】双眼拡大鏡１０は、フレーム１１に眼鏡レンズ１２、１３を装着し、これらのレンズの中心部に物体を拡大して観察する左右の拡大光学系ユニット１４、１５を接着し、これらの物体側に可動ミラー１６ａ，１７ａと固定ミラー１６ｂ，１７ｂとを有する光路切り換えユニット１６，１７を取り付けて構成される。可動ミラー１６ａは、ダハプリズム１４ｃにより偏向された物体側の光路内に位置する作動位置と、光路外に位置する待避位置との間で移動可能である。また、固定ミラー１６ｂは、可動ミラー１６ａの上方に位置し、可動ミラー１６ａが作動位置に配置された際に、可動ミラー１６ａにより偏向された光路を偏向し、物体側の光路を装用者の視線方向にほぼ一致させる。【選択図】図１
2007047319.tif 000002
【特許請求の範囲】
【請求項１】
観察者の左右の眼によって夫々覗かれる一対の拡大光学系ユニットが観察者の体に固定可能なフレームに取り付けられてなる双眼光学装置において、
前記左右の拡大光学系ユニットは、物体を拡大して観察するための拡大光学系を備え、
前記左右の拡大光学系ユニットの物体側に、可動ミラーと固定ミラーとを有する光路切り換えユニットが設けられ、前記可動ミラーは、前記拡大光学系ユニットの物体側の光路内に位置する作動位置と、前記光路外に位置する待避位置との間で移動可能であり、前記固定ミラーは、前記可動ミラーが作動位置に配置された際に、前記可動ミラーにより偏向された光路を更に偏向して、物体からの光を装用者の眼に導くことを特徴とする双眼拡大鏡。
【請求項２】
前記拡大光学系は、正のパワーを有する対物レンズと正のパワーを有する接眼レンズとを備える実像式の拡大光学系であり、前記拡大光学系ユニットは、前記対物レンズと接眼レンズとの間に配置されて前記対物レンズにより形成される像を正立させる正立プリズムを備えることを特徴とする請求項１に記載の双眼拡大鏡。
【請求項３】
前記正立プリズムは、装用者が正面を向いた状態で手元を観察できるよう光路を偏向する偏向視型プリズムであり、前記可動ミラーは、前記偏向視型プリズムにより偏向された物体側の光路内に位置する作動位置と、前記光路外に位置する待避位置との間で移動可能であり、前記固定ミラーは、前記可動ミラーが作動位置に配置された際に、前記可動ミラーにより偏向された光路を更に偏向し、物体側の光路を装用者の視線方向にほぼ一致させることを特徴とする請求項２に記載の双眼拡大鏡。
【請求項４】
前記正立プリズムは、プリズムの前後で光路を偏向させずに像を正立させる直線視型プリズムであり、前記可動ミラーは、前記直線視型プリズムの物体側の光路内に位置する作動位置と、前記光路外に位置する待避位置との間で移動可能であり、前記固定ミラーは、前記可動ミラーが作動位置に配置された際に、前記可動ミラーにより偏向された光路を更に偏向し、物体側の光路を装用者の手元に向けることを特徴とする請求項２に記載の双眼拡大鏡。
【請求項５】
前記光路切り換えユニットは、前記拡大光学系ユニットに対して着脱可能に取り付けられていることを特徴とする請求項１〜４のいずれかに記載の双眼拡大鏡。
【請求項６】
前記拡大光学系ユニットは、眼鏡フレームに組み込まれた左右の眼鏡レンズに装着されていることを特徴とする請求項１〜５のいずれかに記載の双眼拡大鏡。
【請求項７】
前記拡大光学系ユニットは、眼鏡フレームに支持部材を介して取り付けられていることを特徴とする請求項１〜５のいずれかに記載の双眼拡大鏡。
【請求項８】
前記拡大光学系ユニットは、装用者の頭部に装着されるヘッドバンドに支持部材を介して取り付けられていることを特徴とする請求項１〜５のいずれかに記載の双眼拡大鏡。
【請求項９】
前記固定ミラーは、前記拡大光学系ユニットに固定された固定フレームに設けられ、前記可動ミラーは、前記固定フレームに対して水平方向の回転軸回りに回動可能に取り付けられた可動フレームに設けられ、前記可動フレームには、装用者が該可動フレームを回動操作するためのつまみが形成され、前記可動フレームを前記可動ミラーの作動位置と待避位置とで位置決めする位置決め手段が設けられていることを特徴とする請求項１〜８のいずれかに記載の双眼拡大鏡。
【請求項１０】
前記位置決め手段は、前記可動フレームと前記固定フレームとのいずれか一方に取り付けられた鉄片と、他方に取り付けられた永久磁石とにより構成されることを特徴とする請求項９に記載の双眼拡大鏡。
【請求項１１】
眼鏡フレームに左右の眼鏡レンズを組み込み、各眼鏡レンズに物体を拡大して観察するための左右の拡大光学系ユニットをそれぞれ装着して構成される双眼拡大鏡において、
前記左右の拡大光学系ユニットは、物体を拡大して観察するための拡大光学系と、装用者が正面を向いた状態で手元を観察できるよう光路を偏向する偏向部材とを備え、
前記左右の拡大光学系ユニットの物体側に、可動ミラーと固定ミラーとを有する光路切り換えユニットが設けられ、前記可動ミラーは、前記偏向部材により偏向された物体側の光路内に位置する作動位置と、前記光路外に位置する待避位置との間で移動可能であり、前記固定ミラーは、前記可動ミラーが作動位置に配置された際に、前記可動ミラーにより偏向された光路を更に偏向し、物体側の光路を装用者の視線方向にほぼ一致させることを特徴とする双眼拡大鏡。
【請求項１２】
前記拡大光学系は、正のパワーを有する対物レンズと正のパワーを有する接眼レンズとを備える実像式の拡大光学系であり、前記偏向部材は、前記対物レンズと接眼レンズとの間に配置されて前記対物レンズにより形成される像を正立させるダハプリズムを備えることを特徴とする請求項１１に記載の双眼拡大鏡。
【発明の詳細な説明】
【技術分野】
【０００１】
本発明は、対象物を双眼で拡大して観察するための双眼拡大鏡に関する。
【背景技術】
【０００２】
脳外科手術や心臓血管手術等の微細な組織を処置する手術においては、医師は処置部を拡大鏡により拡大して観察しながら手術を行う。また、処置部を立体的に観察するため、双眼の拡大鏡を用いることが望ましい。特許文献１には、眼鏡の左右レンズの中央部に開口を形成し、これらの開口に拡大光学系ユニットを取り付けて構成される双眼拡大鏡が開示されている。拡大光学系ユニットは、対物レンズ及び接眼レンズから構成される実像式の拡大光学系と、これらの対物レンズと接眼レンズとの間に配置されたダハプリズムとを備えている。ダハプリズムは、対物光学系により形成される像を正立させると共に、装用者が正面を向いた状態で手元の部位を拡大して観察できるように光路を偏向する作用を持つ。
【０００３】
これにより、医師は頭部を前方に傾けることなく処置部を拡大観察することができ、長時間の手術における頸部の疲労を避けることができる。
【０００４】
【特許文献１】特開２００５−１２８３０５号公報  （図１）
【発明の開示】
【発明が解決しようとする課題】
【０００５】
しかしながら、特許文献１に開示された双眼拡大鏡では、拡大視は偏向された一方向についてのみ可能であり、そのままの姿勢で他の方向を拡大して観察することができない。
【０００６】
本発明は、上述した従来技術の問題点に鑑みてなされたものであり、装用者が姿勢を変えることなく、複数の方向の拡大視が可能な双眼拡大鏡を提供することを目的(課題)とする。
【課題を解決するための手段】
【０００７】
本発明にかかる双眼拡大鏡は、上記の目的を達成させるため、観察者の左右の眼によって夫々覗かれる一対の拡大光学系ユニットが観察者の体に固定可能なフレームに取り付けられてなる構成において、左右の拡大光学系ユニットは、物体を拡大して観察するための拡大光学系を備え、左右の拡大光学系ユニットの物体側に、可動ミラーと固定ミラーとを有する光路切り換えユニットが設けられ、可動ミラーは、拡大光学系ユニットの物体側の光路内に位置する作動位置と、光路外に位置する待避位置との間で移動可能であり、固定ミラーは、可動ミラーが作動位置に配置された際に、可動ミラーにより偏向された光路を更に偏向して、物体からの光を装用者の眼に導くことを特徴とする。
【０００８】
拡大光学系は、正のパワーを有する対物レンズと正のパワーを有する接眼レンズとを備える実像式の拡大光学系であり、拡大光学系ユニットは、対物レンズと接眼レンズとの間に配置されて対物レンズにより形成される像を正立させる正立プリズムを備えることが望ましい。
【０００９】
この場合、正立プリズムは、装用者が正面を向いた状態で手元を観察できるよう光路を偏向する偏向視型プリズムであってもよいし、プリズムの前後で光路を偏向させずに像を正立させる直線視型プリズムであってもよい。偏向視型プリズムを用いる場合には、可動ミラーは、偏向視型プリズムにより偏向された物体側の光路内に位置する作動位置と、光路外に位置する待避位置との間で移動可能であり、固定ミラーは、可動ミラーが作動位置に配置された際に、可動ミラーにより偏向された光路を更に偏向し、物体側の光路を装用者の視線方向にほぼ一致させる。一方、直線視型プリズムを用いる場合には、可動ミラーは、直線視型プリズムの物体側の光路内に位置する作動位置と、光路外に位置する待避位置との間で移動可能であり、固定ミラーは、可動ミラーが作動位置に配置された際に、可動ミラーにより偏向された光路を更に偏向し、物体側の光路を装用者の手元に向ける。
【００１０】
なお、光路切り換えユニットは、拡大光学系ユニットに対して着脱可能に取り付けてもよい。また、拡大光学系ユニットは、眼鏡フレームに組み込まれた左右の眼鏡レンズに装着されてもよいし、眼鏡フレームに支持部材を介して取り付けられてもよいし、あるいは、装用者の頭部に装着されるヘッドバンドに支持部材を介して取り付けられてもよい。
【００１１】
さらに、固定ミラーは、拡大光学系ユニットに固定された固定フレームに設けられ、可動ミラーは、固定フレームに対して水平方向の回転軸回りに回動可能に取り付けられた可動フレームに設けられることが望ましく、可動フレームには、装用者が可動フレームを回動操作するためのつまみを形成し、可動フレームを作動位置と待避位置とで位置決めする位置決め手段を設けることが望ましい。なお、位置決め手段は、可動フレームと固定フレームとのいずれか一方に取り付けられた鉄片と、他方に取り付けられた永久磁石とにより構成することができる。
【発明の効果】
【００１２】
本発明によれば、可動ミラーを待避位置と作動位置との間で切り換えることにより、視線を動かすことなく、視線に対して光路を偏向した偏向視状態での拡大視と、視線と光路をほぼ一致させた直線視状態での拡大視とが可能になる。したがって、例えば心臓血管手術で動脈の縫合を行う場合、手術中の殆どの時間は偏向視状態で施術し、術後、確認のため心臓を持ち上げて裏側を見る場合には、可動ミラーを切り換えて直線視状態で観察することができる。これにより、手術時間を短縮し、難易度の高い手術における人命救助に寄与することができる。
【発明を実施するための最良の形態】
【００１３】
以下、本発明にかかる双眼拡大鏡の４つの実施例を図面に基づいて説明する。
【実施例１】
【００１４】
図１は、実施例１にかかる双眼拡大鏡の正面図、図２は実施例１の双眼拡大鏡の側面図、図３は実施例１の双眼拡大鏡の平面図、図４は実施例１の双眼拡大鏡から光学系のみを取り出した側面図、図５は実施例１の双眼拡大鏡の拡大光学系ユニットを示す側面断面図、図６は実施例１の双眼拡大鏡の光路切り換えユニットの側面図、図７は実施例１の双眼拡大鏡の光路切り換えユニットを装用者の眼側から見た背面図、図８は実施例１の双眼拡大鏡の偏向視状態を示す側面図、図９は実施例１の双眼拡大鏡の直線視状態を示す側面図である。
【００１５】
実施例１にかかる双眼拡大鏡１０は、図１〜図３に示すように、眼鏡フレーム１１に左右の眼鏡レンズ１２、１３を装着し、これらの眼鏡レンズ１２、１３の中心部に使用者の瞳孔位置に合わせて貫通孔である開口部(左眼用レンズ１２については図５の符号１２ａ)を形成し、これらの開口部に物体を拡大して観察するための左右の拡大光学系ユニット１４、１５を接着し、更に、これらの拡大光学系ユニット１４，１５の物体側に可動ミラー１６ａ，１７ａと固定ミラー１６ｂ，１７ｂとを有する光路切り換えユニット１６，１７を取り付けることにより構成されている。
【００１６】
眼鏡フレーム１１は、眼鏡レンズ１２、１３を保持するリム１１ａ、１１ｂ、左右のリム１１ａ、１１ｂを接続するブリッジ１１ｃ、リムの内側に配置された鼻当てとなるパッド１１ｄ、１１ｅ、リムの外側で耳にかけるためのテンプル１１ｆ、１１ｇから構成されている。
【００１７】
次に、上記の双眼拡大鏡１０の光学系、拡大光学系ユニット１４、光路切り換えユニット１６について順に説明する。なお、以下の説明では、左目用の光学系、各ユニットを例にとって説明する。右目用の光学系、各ユニットは、左右が反転するのみで構成は左目用と同一であるため、重複した説明は省略する。
【００１８】
拡大光学系ユニット１４の光学系は、図４に示すように、正のパワーを有する対物レンズ１４ａと正のパワーを有する接眼レンズ１４ｂとを備えて物体を拡大して観察するための実像式の拡大光学系と、対物レンズ１４ａと接眼レンズ１４ｂとの間に配置されて拡大光学系の光路を一方側に偏向すると共に像を正立させる偏向部材であるダハプリズム１４ｃとから構成されている。光路切り換えユニット１６の可動ミラー１６ａは、ダハプリズム１４ｃにより偏向された物体側の光路内に位置する作動位置(実線)と、光路外に位置する待避位置(破線)との間で移動可能である。また、固定ミラー１６ｂは、可動ミラー１６ａの上方に位置し、可動ミラー１６ａが作動位置に配置された際に、可動ミラー１６ａにより偏向された光路を更に偏向し、物体側の光路を装用者の視線方向にほぼ一致させる。
【００１９】
可動ミラー１６ａが待避位置にある偏向視状態では、観察対象からの光は、固定ミラー１６ｂ及び可動ミラー１６ａを介さずに対物レンズ１４ａに入射し、対物レンズ１４ａからダハプリズム１４ｃの第１面Ａを透過し、第２面Ｂで全反射されてダハ面Ｃにより反射され、第１面Ａで全反射され、第２面Ｂを透過して接眼レンズ１４ｂを介して装用者の左眼ＥＬに届く。偏向視状態では、装用者は、正面を向いた状態で手元の対象物を拡大観察することができる。
【００２０】
一方、可動ミラー１６ａが作動位置にある直線視状態では、観察対象からの光は、固定ミラー１６ｂ及び可動ミラー１６ａで順に反射された後に対物レンズ１４ａに入射し、ダハプリズム１４ｃ、接眼レンズ１４ｂを介して装用者の左目ＥＬに届く。直線視状態では、装用者は、視線の方向にある対象物を拡大観察することができる。
【００２１】
次に、拡大光学系ユニット１４、光路切り換えユニット１６の機械的な構成について説明する。拡大光学系ユニット１４の対物レンズ１４ａは、図５に示すように、対物レンズ鏡筒２０に組み込まれ、この対物レンズ鏡筒２０は補助鏡筒２１に螺合し、この補助鏡筒２１は、ダハプリズム１４ｃが組み込まれたハウジング３０に螺合している。また、接眼レンズ１４ｂは、接眼レンズ鏡筒２２内に組み込まれ、この接眼レンズ鏡筒２２はハウジング３０に螺合している。このように、対物レンズ鏡筒２０、補助鏡筒２１、ハウジング３０、接眼レンズ鏡筒２２が一体に組み立てられた状態で、接眼レンズ鏡筒２２を眼鏡レンズ１２に接着することにより、眼鏡レンズ１２に対して固定されている。なお、接眼レンズ鏡筒２２の外周には、外周側に突出するフランジ２２ａが形成されている。
【００２２】
一方、光路切り換えユニット１６は、図６及び図７に示すように、接眼レンズ鏡筒２２を介して眼鏡レンズ１２に取り付けられた固定フレーム４０と、この固定フレーム４０に対して水平方向の回転軸回りに回動可能に取り付けられた可動フレーム５０とを備えている。固定フレーム４０は、図７に示すように、眼側となる背面に接眼レンズ鏡筒２２のフランジ２２ａ(図５参照)に係合する円弧溝状の係合部４１ａを含むＵ字状の背面フレーム部４１と、この背面フレーム部４１から前方に延びる左右の側壁４２，４３と、これらの側壁４２，４３の先端間に渡されて固定ミラー１６ｂを保持する正面壁４４とを備える。なお、背面フレーム部４１の上端には、このフレーム部の開放側を締め付けるための長ねじ４１ｂが螺合している。すなわち、背面フレーム部４１の左側面側には、長ねじ４１ｂが貫通するスリーブが形成され、右側面側には、長ねじ４１ｂが螺合するねじスリープが形成されている。
【００２３】
また、可動フレーム５０は、固定フレーム４０の左右の側壁４２，４３の内側に、これらの側壁に対して回動軸５１を介して回動可能に取り付けられた左右のアーム５２，５３と、両アームの先端間に渡されて可動ミラー１６ａを保持するミラー保持部５４とを備えている。
【００２４】
固定フレーム４０の左の側壁４２には、開口部４２ａが形成され、可動フレーム５０の回動方向に沿う円周上に、開口部４２ａを挟むように第１，第２の位置決め部４５，４６が固定されている。一方、可動フレーム５０の左側のアーム５２には、固定フレーム４０の開口部４２ａを通して左側に突出するつまみ５５が形成されている。つまみ５５には、鉄製の吸着棒５５ａがつまみ５５を貫通して固定されており、第１，第２の位置決め部４５，４６には、つまみ５５がそれぞれの位置決め部側に回動した際に吸着棒５５ａを吸着する永久磁石４５ａ，４６ａが埋め込まれている。これらの吸着棒５５ａと永久磁石４５ａ，４６ａとにより、可動フレーム５０を可動ミラー１６ａの作動位置と待避位置とで位置決めする位置決め手段が構成されている。
【００２５】
光路切り換えユニット１６を拡大光学系ユニット１４に取り付ける際には、長ねじ４１ｂを緩めて背面フレーム部４１の開放側を開き、係合部４１ａの溝を接眼レンズ鏡筒２２のフランジ２２ａ(図５参照)に合わせた後、長ねじ４１ｂを軽く締め、装用者の眼幅に合わせて輻輳を調整し、調整後、長ねじ４１ｂをきつく締め付けて固定する。長ねじ４１ｂを軽く締めた状態では、光路切り換えユニット１６が接眼レンズ鏡筒２２の回りに回動可能であるため、可動ミラー１６ａを作動位置に設定して装用者が双眼拡大鏡１０を装用し、輻輳を調整する際に一般的に用いられている輻輳調整クロスチャートを用いて合致するよう左右の光路切り換えユニット１６，１７を回動調整する。
【００２６】
手術等に実際に使用する時においては、手術中の手元を観察する場合には、装用者がつまみ５５の下面と第１の位置決め部４５の上面とを指で挟んでつまみ５５を上側に持ち上げる。これにより、可動アーム５０が図６中の時計回りに回動し、吸着棒５５ａが第１の位置決め部４５の永久磁石４５ａに吸着されて可動フレーム５０を位置決めし、図８に示すように、可動ミラー１６ａを待避位置に設定した状態で保持する(偏向視状態)。これにより、物体側の光路は視線に対して約４８°傾き、装用者は正面を向いた状態で手元の術部を拡大観察することができ、頸部の疲労を軽減することができる。
【００２７】
一方、直線視による確認が必要となった場合には、装用者がつまみ５５の上面と第２の位置決め部４６の下面とを指で挟んでつまみ５５を下側に下ろす。これにより、可動フレーム５０が図６中の反時計回りに回動し、吸着棒５５ａが第２の位置決め部４６の永久磁石４６ａに吸着されて可動アーム５０を位置決めし、図９に示すように、可動ミラー１６ａを作動位置に設定した状態で保持する(直線視状態)。これにより、物体側の光路が視線にほぼ一致し、装用者は視線の方向にある物体を拡大観察することができる。
【００２８】
したがって、実施例１の双眼拡大鏡１０によれば、可動ミラー１６ａ，１７ａを待避位置と作動位置との間で切り換えることにより、視線に対して光路を偏向した偏向視状態での拡大視と、視線と光路をほぼ一致させた直線視状態での拡大視とが可能になる。このため、例えば心臓血管手術では、冠動脈の縫合時には可動ミラー１６ａ，１７ａを待避位置に設定し、確認のため心臓を持ち上げて裏側を見る場合には、可動ミラー１６ａ，１７ａを作動位置に設定することにより、迅速に観察方向を切り換えることができ、手術時間の短縮に寄与することができる。
【実施例２】
【００２９】
次に、実施例２にかかる双眼拡大鏡を図面に基づいて説明する。図１０は実施例２の双眼拡大鏡を示す斜視図である。
【００３０】
実施例２の双眼拡大鏡１０Ａは、眼鏡フレーム１１に支持部材６０を介して左右の拡大光学系ユニット１４，１５を取り付け、更に、これらの拡大光学系ユニット１４，１５の物体側に可動ミラー１６ａ，１７ａと固定ミラー１６ｂ，１７ｂとを有する光路切り換えユニット１６，１７を着脱可能に取り付けることにより構成されている。
【００３１】
支持部材６０は、眼鏡フレーム１１のブリッジ１１ｃに固定された縦フレーム６１と、この縦フレーム６１の下端に固定された横フレーム６２とから構成されるＴ字形の板状の部材であり、この横フレーム６２の先端に、拡大光学系ユニット１４，１５が取り付けられている。
【００３２】
拡大光学系ユニット１４，１５の構成、及び光路切り換えユニット１６，１７の構成は実施例１と同一である。なお、光路切り換えユニット１６，１７は、拡大光学系ユニット１４，１５に対して着脱可能に取り付けられている。直線視による観察が不要な場合には、図１１に示すように光路切り換えユニット１６，１７を取り外して使用することができ、双眼拡大鏡の重量を減らして装用者の負担を軽減することができる。
【実施例３】
【００３３】
次に、実施例３にかかる双眼拡大鏡を図面に基づいて説明する。図１２は実施例３の双眼拡大鏡を示す斜視図である。
【００３４】
実施例３の双眼拡大鏡１０Ｂは、装用者の頭部に装着されるヘッドバンド７０に実施例２と同様の支持部材６０を介して左右の拡大光学系ユニット１４，１５を取り付け、更に、これらの拡大光学系ユニット１４，１５の物体側に可動ミラー１６ａ，１７ａと固定ミラー１６ｂ，１７ｂとを有する光路切り換えユニット１６，１７を着脱可能に取り付けることにより構成されている。
【００３５】
ヘッドバンド７０は、頭部の周囲に回される円環状のバンド部７１と、頭部の上を通るようにバンド部７１と一体に形成された半円環状のオーバーヘッド部７２と、ハンド部７１の前方で下向きに延びる取付部７３とを備え、この取付部７３の下部に支持部材６０が固定されている。
【００３６】
支持部材６０は、眼鏡フレーム１１のブリッジ１１ｃに固定された縦フレーム６１と、この縦フレーム６１の下端に水平に固定された横フレーム６２とから構成されるＴ字形の板状の部材である。
【００３７】
拡大光学系ユニット１４，１５の構成、及び光路切り換えユニット１６，１７の構成は実施例１と同一である。なお、光路切り換えユニット１６，１７は、拡大光学系ユニット１４，１５に対して着脱可能に取り付けられている。直線視による観察が不要な場合には、図１３に示すように光路切り換えユニット１６，１７を取り外して使用することができ、双眼拡大鏡の重量を減らして装用者の負担を軽減することができる。
【実施例４】
【００３８】
次に、実施例４にかかる双眼拡大鏡を図面に基づいて説明する。図１４は実施例４の双眼拡大鏡の左眼用の光学系を示す側面図である。実施例４の双眼拡大鏡の光学系は、拡大光学系ユニット８０と、光路切り換えユニット９０とにより構成されている。拡大光学系ユニット８０は、正のパワーを有する対物レンズ８１と正のパワーを有する接眼レンズ８２とを備えて物体を拡大して観察するための実像式の拡大光学系と、対物レンズ８１と接眼レンズ８２との間に配置されて像を正立させる正立プリズム８３とから構成されている。なお、対物レンズ８１は、対物レンズ鏡筒８１ａに収納され、接眼レンズ８２は、接眼レンズ鏡筒８２ａに収納されている。
【００３９】
正立プリズム８３として、実施例４では、プリズムの前後で光路を偏向させずに像を正立させる直線視型のプリズムを用いている。正立プリズム８３は、僅かな隙間をおいて第１プリズム(ペシャンプリズム)８３ａと第２プリズム(シュミットプリズム(ダハプリズム))８３ｂとを対向させて配置することにより構成されている。
【００４０】
光路切り換えユニット９０は、物体側の光路内に位置する作動位置(実線)と光路外に位置する待避位置(破線)との間で移動可能な可動ミラー９１と、可動ミラー９１が作動位置に配置された際に、可動ミラー９１により偏向された光路を更に偏向し、物体側の光路を装用者の手元に向ける固定ミラー９２とを備えている。
【００４１】
可動ミラー９１が待避位置にある直線視状態では、観察対象からの光は、固定ミラー９２及び可動ミラー９１を介さずに対物レンズ８１に入射し、対物レンズ８１から第１プリズム８３ａの第１面Ａを透過し、第２面Ｂで全反射されてアルミ蒸着された第３面Ｃにより反射され、第２面Ｂを透過し、第２プリズム８３ｂの第１面Ｄに入射し、第２面Ｅで全反射され、ダハ面Ｆで反射され、第１面Ｄで全反射し、第２面Ｅを透過して接眼レンズ８２を介して装用者の眼に届く。直線視状態では、装用者は、視線の方向にある対象物を拡大観察することができる。
【００４２】
一方、可動ミラー９１が作動位置にある偏向視状態では、観察対象からの光は、固定ミラー９２及び可動ミラー９１で順に反射された後に対物レンズ８１に入射し、ペシャンプリズム８３、接眼レンズ９２を介して装用者の眼に届く。偏向視状態では、装用者は、正面を向いた状態で手元の対象物を拡大観察することができる。
【００４３】
上記のように構成される光学系を左右一組用意し、実施例１と同様に眼鏡レンズに固定することにより、あるいは、実施例２，３と同様に支持部材を介して眼鏡フレームやヘッドベルトに固定することにより、実施例４の双眼拡大鏡を構成することができる。また、光路切り替えユニット９０を拡大光学系ユニット８０に対して着脱可能として、可動ミラー９１を光路切り替えユニット９０に固定してもよい。
【図面の簡単な説明】
【００４４】
【図１】実施例１にかかる双眼拡大鏡の正面図である。
【図２】実施例１の双眼拡大鏡の側面図である。
【図３】実施例１の双眼拡大鏡の平面図である。
【図４】実施例１の双眼拡大鏡から光学系のみを取り出した側面図である。
【図５】実施例１の双眼拡大鏡の拡大光学系ユニットを示す側面断面図である。
【図６】実施例１の双眼拡大鏡の光路切り換えユニットの側面図である。
【図７】実施例１の双眼拡大鏡の光路切り換えユニットを装用者の眼側から見た背面図である。
【図８】実施例１の双眼拡大鏡の偏向視状態を示す側面図である。
【図９】実施例１の双眼拡大鏡の直線視状態を示す側面図である。
【図１０】実施例２の双眼拡大鏡を示す斜視図である。
【図１１】実施例２の双眼拡大鏡から光路切り換えユニットを取り外した状態を示す斜視図である。
【図１２】実施例３の双眼拡大鏡を示す斜視図である。
【図１３】実施例３の双眼拡大鏡から光路切り換えユニットを取り外した状態を示す斜視図である。
【図１４】実施例４の双眼拡大鏡の光学系を示す側面図である。
【符号の説明】
【００４５】
１０  双眼拡大鏡
１１  眼鏡フレーム
１２、１３  眼鏡レンズ
１４、１５  拡大光学系ユニット
１４ａ  対物レンズ
１４ｂ  接眼レンズ
１４ｃ  ダハプリズム
１６，１７  光路切り換えユニット
１６ａ，１７ａ  可動ミラー
１６ｂ，１７ｂ  固定ミラー
２０  対物レンズ鏡筒
２１  補助鏡筒
２２  接眼レンズ鏡筒
３０  ハウジング
４０  固定フレーム
４５，４６  位置決め部
４５ａ，４６ａ  永久磁石
５０  可動フレーム
５５  つまみ
５５ａ  吸着棒
【図１】
2007047319.tif 000003
【図２】
2007047319.tif 000004
【図３】
2007047319.tif 000005
【図４】
2007047319.tif 000006
【図５】
2007047319.tif 000007
【図６】
2007047319.tif 000008
【図７】
2007047319.tif 000009
【図８】
2007047319.tif 000010
【図９】
2007047319.tif 000011
【図１０】
2007047319.tif 000012
【図１１】
2007047319.tif 000013
【図１２】
2007047319.tif 000014
【図１３】
2007047319.tif 000015
【図１４】
2007047319.tif 000016